(57)【要約】      （修正有）【課題】全体構造が簡便、安価に形成され、遊技台相互間の気体（空気，煙）の流通を抑制でき、快適な遊技ができる「簡易遊技台間エアーカーテン形成装置」を提供する。【解決手段】箱状本体４の側面の吸気口から送風機７により吸引された空気は箱状本体４の表面の開口部を覆っている吹き出し板部材５の長孔を介して突出型吹き出し口部材の突出片１５，１５間の隙間１４より噴出される。この噴流は遊技者側に吹き出しされるため、吹き出し空気は隣接する遊技台２側の遊技者側への流れを抑制する効果が上げられる。【選択図】図１
0003130675.tif 000002
【実用新案登録請求の範囲】
【請求項１】
隙間を介して並設される複数台の遊技台の前記隙間内に収納され、隣接する遊技台の相互間の気体の流通を抑制する簡便構造のエアーカーテン形成装置であって、該エアーカーテン形成装置は、前記隙間内に収納可能の横幅で細長で前面側に開口部を形成する箱状本体と、該箱状本体の前記開口部を塞ぐと共に前記箱状本体の横幅寸法より広く前記隙間をほぼ塞ぐ横幅寸法を有し前記箱状本体の内部に連通する長孔を形成する吹き出し板部材と、該吹き出し板部材の表面に遊技台使用者側に向かって突出して形成される一対の突出片からなり該突出片間の間隙が前記長孔の幅寸法とほぼ等しい寸法から形成される突出型吹き出し口部材と、前記箱状本体の内部に収納され前記箱状本体の側面に吸気部を形成する送風機及びその制御手段とを有することを特徴とする簡易遊技台間エアーカーテン形成装置。
【請求項２】
前記突出型吹き出し口部材の突出片の突出長は、コインの直径よりも長寸のものから形成されることを特徴とする請求項１に記載の簡易遊技台間エアーカーテン形成装置。
【請求項３】
前記吹き出し板部材の前記長孔が、複数個のものからなり、その１つの長孔の縦方法の寸法が遊技場で使用されるカード類が挿入できないものからなることを特徴とする請求項１又は２に記載の簡易遊技台間エアーカーテン形成装置。
【請求項４】
前記吹き出し板部材に形成される長孔の総面積が、前記箱状本体の表面積の５％以下であることを特徴とする請求項１乃至３のいずれかに記載の簡易遊技台間エアーカーテン形成装置。
【請求項５】
前記送風機の前記吸気部にはフィルタが設けられることを特徴とする請求項１に記載の簡易遊技台間エアーカーテン形成装置。
【請求項６】
前記複数台の遊技台が、上下を壁体で閉止される壁状囲い体（以下、島という）内に表面側を露出し背面合わせに収納されることを特徴とする請求項１に記載の簡易遊技台間エアーカーテン形成装置。
【考案の詳細な説明】
【技術分野】
【０００１】
本考案は、パチンコ台やパチスロ台等の遊技台の隣接する隙間内に収納され、遊技台間をエアーカーテンで仕切って隣接する遊技者相互間の気体（空気やタバコの煙等）の流通を極力抑制するに効果的な簡易遊技台間エアーカーテン形成装置に関する。
【背景技術】
【０００２】
パチンコ店等の遊技場には数多くのパチンコ台が並設され、遊技者のタバコの煙が隣接者側に流れ、迷惑を与える場合が多い。これを防止するために従来からタバコの煙り等を遮断する装置が開発され、例えば、「特許文献１」、「特許文献２」及び「特許文献３」等がある。
【特許文献１】特開平８−２４７５２０号（図１）
【特許文献２】特開平９−７３２号（第２６２７４９５号）（図１）
【特許文献３】特開平１０−１１８３２７号（図２）
【考案の開示】
【考案が解決しようとする課題】
【０００３】
以上の「特許文献１」等は夫々特徴を有するものであるが、全体構造として複数であり、かつ隣接者間のタバコの煙による被害を直接抑制するものではなく、装置構造も複数のものからなる。
【０００４】
一方、未公開ではあるが、同一出願人による「特願２００５−２８４５１０号」の「遊技台における簡易台間エアーカーテン形成装置」があり、タバコの煙等が極力隣接者側に流れないようにしたものがあるが、遊技台相互間の気体の流通をより効果的に抑制するには不十分なものであった。
【０００５】
本考案は、以上の事情に鑑みて考案されたものであり、全体構造として簡便で安価に形成され、遊技台相互間の気体の流通を極力抑制し、快適な遊技をすることができる簡易遊技台間エアーカーテン形成装置を提供することを目的とする。
【課題を解決するための手段】
【０００６】
本考案は、以上の目的を達成するために、請求項１の考案は、隙間を介して並設される複数台の遊技台の前記隙間内に収納され、隣接する遊技台の相互間の気体の流通を抑制する簡便構造のエアーカーテン形成装置であって、該エアーカーテン形成装置は、前記隙間内に収納可能の横幅で細長で前面側に開口部を形成する箱状本体と、該箱状本体の前記開口部を塞ぐと共に前記箱状本体の横幅寸法より広く前記隙間をほぼ塞ぐ横幅寸法を有し前記箱状本体の内部に連通する長孔を形成する吹き出し板部材と、該吹き出し板部材の表面に遊技台使用者側に向かって突出して形成される一対の突出片からなり該突出片間の間隙が前記長孔の幅寸法とほぼ等しい寸法から形成される突出型吹き出し口部材と、前記箱状本体の内部に収納され前記箱状本体の側面に吸気部を形成する送風機及びその制御手段とを有することを特徴とする。
【０００７】
また、請求項２の考案は、前記突出型吹き出し口部材の突出片の突出長は、コインの直径よりも長寸のものから形成されることを特徴とする。
【０００８】
また、請求項３の考案は、前記吹き出し板部材の前記長孔が、複数個のものからなり、その１つの長孔の縦方法の寸法が遊技場で使用されるカード類が挿入できないものからなることを特徴とする。
【０００９】
また、請求項４の考案は、前記吹き出し板部材に形成される長孔の総面積が前記箱状本体の表面積の５％以下であることを特徴とする。
【００１０】
また、請求項５の考案は、前記送風機の前記吸気部にはフィルタが設けられることを特徴とする。
【００１１】
また、請求項６の考案は、前記複数台の遊技台が、上下を壁体で閉止される壁状囲い体（以下、島という）内に表面側を露出し背面合わせに収納されることを特徴とする。
【考案の効果】
【００１２】
本考案の請求項１の「簡易遊技台間エアーカーテン形成装置」によれば、箱状本体の横幅よりも広幅の吹き出し板部材と遊技台の側面との間の空間内から吸気口を介して送風機により箱状本体内に吸引された空気は長孔を介して突出型吹き出し口部材の間隙から吹き出される。この突出型吹き出し口部材は遊技者側に突出しているため、送風機から送り出された空気はその遊技台の遊技者に向かって吹き出され、隣接する遊技台の遊技者側には進まない。この吹き出し空気の流れによりその遊技台の遊技者のタバコの煙は隣りの遊技者の方向には流れず遊技台相互間の空気の流通が抑制されることになる。
【００１３】
本考案の請求項２の「簡易遊技台間エアーカーテン形成装置」によれば、突出型吹き出し口部材の突出片の突出長がコインの直径よりも長寸のためコインの挿入ができず箱状本体内にコインが挿入されることが防止される。これにより、コインの紛失が防止されると共に箱状本体内への異物の挿入が防止される。
【００１４】
また、本考案の請求項３の「簡易遊技台間エアーカーテン形成装置」によれば、長孔の縦方向の寸法が遊技場で使用されるプリペイカード等のカード等が挿入されない寸法からなるため、長孔を介しての箱状本体側へのカード等の挿入が防止され、カード等の紛失の防止と箱状本体内への異物の挿入が防止される。
【００１５】
また、本考案の請求項４の「簡易遊技台間エアーカーテン形成装置」によれば、長孔の総面積が箱状本体の表面積の５％以下のため勢のある空気の吹き出しが形成され、遊技台相互間の空気の流通抑制の効果を高めることができる。
【００１６】
また、本考案の請求項５の「簡易遊技台間エアーカーテン形成装置」によれば、送風機の吸気部にはフィルタが設けられているため箱状本体内へのゴミやホコリ等の塵埃の導入が防止され、塵埃を含まない吹き出し空気を得ることができる。
【００１７】
また、本考案の請求項６の「簡易遊技台間エアーカーテン形成装置」によれば、本考案の「簡易遊技台間エアーカーテン形成装置」を「島」に設置することにより、「島に不作為に形成された微小空間から空気が「島」内に誘導され、「島」内の温度や湿度を安定させることができるので、遊技台など「島」内部に配置された機器の誤動作や漏電等の事故を防止することができ、かつその寿命の向上が図れる。
【考案を実施するための最良の形態】
【００１８】
以下、本考案の「簡易遊技台間エアーカーテン形成装置」の実施の形態を図面を参照して詳述する。まず、本考案の「簡易遊技台間エアーカーテン形成装置」１は図７に示すように、隣接して並設されている遊技台２，２間の隙間３内に収納されるものからなる。なお、遊技台２は各種のものがあるが、その詳細構造や表面側の形態等については説明を省略する。
【実施例１】
【００１９】
図１（ａ），（ｂ），（ｃ）に示すように、本考案の「簡易遊技台間エアーカーテン形成装置」１は大別して箱状本体４と、この開口部９を閉止して箱状本体４の横幅よりも広い幅寸法の吹き出し板部材５と、吹き出し板部材５の表面側に設けられる突出型吹き出し口部材６と、箱状本体４内に収納されている送風機７及びこの制御手段８等とからなる。
【００２０】
箱状本体４は図１乃至図３に示すように縦方向に細長な箱体からなり、その表面側のみ開口部９が形成される。なお、図１（ａ），（ｃ）に示すように、その側面には送風機７の吸気部７ａの嵌り込み吸気口１０が形成される。また、その裏面には制御手段８に連結されるコード１１の挿入孔（図略）が形成される。
【００２１】
吹き出し板部材５は、図１（ａ），（ｃ）及び図２，図３に示すように、箱状本体４の開口部９を閉止する横断面コ字形状の板部材からなり、その横幅寸法は箱状本体４の横幅より広幅に形成されているが図示のように箱状本体４に対して片寄った形で取り付けられている。なお、片寄りの方向は吸気口１０側に形成される。なお、この吹き出し板部材５の横幅が図７に示した隙間３とほぼ同一寸法からなり隙間３は吹き出し板部材５により閉止されることになる。従って、図３に示すように、遊技台２と「簡易遊技台間エアーカーテン形成装置」１の箱状本体４の側面との間には吸気用の間隙１２が形成される。
また、吹き出し板部材５の表面側には図２及び図３によく示されているように長孔１３が複数個開口形成され、箱状本体４の開口部９に連通する。この長孔１３の縦方向の長さは遊技場において使用するプリペイカードのようなカード類が挿入できない寸法のものからなる。この形状により箱状本体４内へのカード類の挿入が防止される。
【００２２】
突出型吹き出し口部材６は図１（ａ），（ｂ），（ｃ）、図２及び図３に示すように間隙１４を介して互いに相対向して配置される一対の突出片１５，１５からなり、この突出片１５，１５の基端側は吹き出し板部材５に固着される。なお、この間隙１４は吹き出し板部材５の長孔１３と合致する位置に配置される。また、突出片１５，１５は遊技台２の表面側から遊技者（図略）側に向かって突出するものであり、その突出片１５，１５の突出長はコイン等の直径よりも長寸のものからなり、この間隙１４内にコイン等が挿入できないように形成される。
【００２３】
送風機７は、箱状本体４内に収納される大きさのものからなり、前記したように吸気部７ａは箱状本体４の側面に形成される吸気口１０に合致して配置される。なお、吸気部７ａにはフィルタ１６が設けられ、ゴミやホコリの侵入を防止する。この送風機７は箱状本体４の上面又は下面に設けられるが、「簡易遊技台間エアーカーテン形成装置」１の取り付け位置を考慮するとホコリやゴミ等の吸い込みにくく、かつ周囲の換気効果を上げ易い上端に設置することが望ましく、この実施例では送風機７の上端側に配置されている。また、送風機７にはこの運転制御を行うための制御手段８（電子基盤等を有する）が連結される。この制御手段８も図示のように箱状本体４内に収納される。また、制御手段８には前記のように電源に連結されるコード１１が連結される。なお、このコード１１は箱状本体４の裏面側に配置される。
【００２４】
次に、本実施例の「簡易遊技台間エアーカーテン形成装置」１によるエアーカーテン作用を説明する。
電源を入れて制御手段８を介して送風機７を作動させると、間隙１２からの空気が吸気部７ａからフィルタ１６により清浄化されて箱状本体４内に導入される。送風機７により箱状本体４内の空気は長孔１３から突出型吹き出し口部材６の間隙１４を通って遊技者側に向かって噴出される。長孔１３の面積が箱状本体４の表面積に対して５％以下の狭面積からなるため箱状本体４内の空気は加圧された状態で突出片１５，１５の突出方向によって勢よく噴出されエアーカーテンを形成することによる。この噴出空気によって遊技者が発するタバコの煙は隣接する遊技者側にはほとんど進まない。以上により、隣接者相互間の空気（タバコの煙）の流通が抑制されることになる。
【００２５】
また、長孔１３はプリペイカード等のカードの挿入できない長さ寸法からなり、突出型吹き出し口部材６の突出片１５の長さがコインの直径より大きいため箱状本体４の内部にはカード類やコインが入ることが防止され、箱状本体４内への異物の導入が防止される。  また、本考案の「簡易遊技台間エアーカーテン形成装置」１は箱状本体４や突出型吹き出し口部材６等からなる簡便構造のものであり、送風機７も特別なものでなく、簡便安価で実施することができる。
【実施例２】
【００２６】
実施例１における「簡易遊技台間エアーカーテン形成装置」１は開放されている遊技場内に設置されているものであるが、遊技場内には通常「島」と称する遊技台２の設置場所がある。この島１７は図４及び図５に示すものである。即ち、島１７は複数台の遊技台２を収納する壁状囲い体からなる。即ち、前記壁状囲い体は遊技台２を搭載する台状壁部１８と、色々の飾り付けが施されて遊技台２の上部を支持する上壁部１９と、この上部を覆う天井板２０等とから形成される。
遊技台２は図４及び図５に示すように、遊技面を前記壁状囲い体から露出した状態で設置され、左右（裏表）の遊技台（図略）や「簡易遊技台間エアーカーテン形成装置」１，１は互いに裏面を相対向した状態で設置される。
【００２７】
島１７は以上の構造から形成され、特別な換気口がないため島１７内の温度は上昇し、遊技台など島内部に配置された機器を極度に乾燥させ、器材に静電気の発生を促し、機器類の誤動作の原因となる問題点があった。なお、換気口を設けると以上の問題点は解決されるが、その一方、島１７内への不正な盗視や異物の投入等を増長させる問題点が生ずる。しかしながら、本考案の「簡易遊技台間エアーカーテン形成装置」を使用することにより、以上の問題点が解消される。
【００２８】
島１７の「簡易遊技台間エアーカーテン形成装置」１の表面には吸気口がないため、島１７の内部の空気が「簡易遊技台間エアーカーテン形成装置」１の吸気部７ａから吸入されて突出型吹き出し口部材６から吹き出しされるため島１７の内部は負圧となる。
一方、島１７は、不正防止の目的以上に密閉する必要がないため、一般的に多くの不作為な隙間が存在する。図６に示すように遊技台２と「簡易遊技台間エアーカーテン形成装置」１との間には微小の隙間２１，２２がある。よって、島１７の内部が負圧になることにより、この微小の隙間２１，２２から空気が島１７の内部に入り、内部の温度の上昇が防止され、安定化が保持され、前記したような問題点が解消される。また、この不作為の微小の隙間２１，２２の総面積は、従来タイプの表面側に吸気口を設けた遊技台に較べて実質的に広く、吹き出し空気量を低減させることはない。
また、島１７内に脱臭剤や芳香剤を配置することにより、遊技場全体の脱臭や芳香ができる。また、脱臭剤や芳香剤の管理の容易化を図ることができる。
【００２９】
以上において本考案の「簡易遊技台間エアーカーテン形成装置」を説明したが、本考案の「簡易遊技台間エアーカーテン形成装置」は以上の構造のものに限定されるものでなく、同一の技術的範疇のものが適用されることは勿論である。
【産業上の利用可能性】
【００３０】
本考案の「簡易遊技台間エアーカーテン形成装置」は、前記のようにパチンコ店やパチスロ店において主に使用されるが、遊技台としてはこれ等のものに限定するものではなく、すべての類似するものに対して適用され、この利用範囲は広い。
【図面の簡単な説明】
【００３１】
【図１】本考案の「簡易遊技台間エアーカーテン形成装置」の全体構造を示す側面図（ａ）、正面図（ｂ）及び上面図（ｃ）。
【図２】本考案の「簡易遊技台間エアーカーテン形成装置」の正面側の詳細構造の一部を示す拡大正面図。
【図３】本考案の「簡易遊技台間エアーカーテン形成装置」の箱状本体や吹き出し板部剤及び突出型吹き出し口部材の構造を示す断面図。
【図４】本考案の「簡易遊技台間エアーカーテン形成装置」の島に収納されている状態を示す正面図。
【図５】島の構造とこれに収納されている左右の遊技台及び空気の吹き出し状態を示す側断面図。
【図６】本考案の「簡易遊技台間エアーカーテン形成装置」を設置下場合の島内への吸気状態を説明するための上面図。
【図７】遊技台と本考案の「簡易遊技台間エアーカーテン形成装置」との配置状態を示す模式図。
【符号の説明】
【００３２】
１    簡易遊技台間エアーカーテン形成装置
２    遊技台
３    隙間
４    箱状本体
５    吹き出し板部材
６    突出型吹き出し口部材
７    送風機
７ａ  吸気部
８    制御手段
９    開口部
１０  吸気口
１１  コード
１２  間隙
１３  長孔
１４  間隙
１５  突出片
１６  フィルタ
１７  島
１８  台状壁部
１９  上壁部
２０  天井
２１  隙間
２２  間隙
【図１】
0003130675.tif 000003
【図２】
0003130675.tif 000004
【図３】
0003130675.tif 000005
【図４】
0003130675.tif 000006
【図５】
0003130675.tif 000007
【図６】
0003130675.tif 000008
【図７】
0003130675.tif 000009